(57)【要約】【目的】絶縁シートを別途取り付ける手間が省け、かつ、端子とフラットケーブルの接触を防止できて接触によるショートを防止できる端子カバー付フラットケーブルホルダー装置を提供する。【構成】２つのプリント基板２、３を接続するフラットケーブル４をプリント基板２へ接続する際に、フラットケーブルホルダー装置１０は、フラットケーブル４を保持するケーブルホルダー部１０と、ケーブルホルダー部１０の一端から延設され、プリント基板２の一端部から他端部にかけてプリント基板２を覆うとともに、プリント基板２の他端部に固定するためのスナップ爪１６を有する端子カバー部１１とを備えた。【選択図】　　　図１
2004119827.tif 000002
【特許請求の範囲】
【請求項１】
２つのプリント基板と、
前記２つのプリント基板の間を接続するフラットケーブルと、
前記フラットケーブルを前記２つのプリント基板の一方のプリント基板へ接続する際に、前記フラットケーブルを保持するケーブルホルダー部と、
前記ケーブルホルダー部の一端から延設され、前記一方のプリント基板の一端部から他端部にかけて前記一方のプリント基板を覆うとともに、前記一方のプリント基板の他端部に固定するための固定部を有する端子カバー部とを備えたことを特徴とする端子カバー付フラットケーブルホルダー装置。
【請求項２】
請求項１において、前記固定部はスナップからなることを特徴とする端子カバー付フラットケーブルホルダー装置。
【発明の詳細な説明】
【０００１】
【発明の属する技術分野】
本発明は、複数のプリント基板間を接続するのにフラットケーブルを使用した端子カバー付フラットケーブルホルダー装置に関する。
【０００２】
【従来の技術】
装置内での配置上、プリント基板（ＰＣＢ）を複数に分けて使用する場合がある。そして、このような場合、装置の中で複数のプリント基板の間を接続するためにフラットケーブル（フレキシブルケーブル）を使用している。
【０００３】
従来の端子カバー付フラットケーブルホルダーの構造を図５に示す。図５はスイッチ装置に使用された状態の縦断面図である。
【０００４】
図５において、１はスイッチ、２はスイッチ１を取り付けたプリント基板、３は別のプリント基板、４はプリント基板２、３間を接続するフラットケーブル、５はフラットケーブル４の一端の端子をプリント基板２の取付孔（図示せず）に案内するとともに保持するケーブルホルダー、６はスイッチ１のステムに嵌合されたキートップ、７はプリント基板２の裏面に取り付けられた絶縁シート、８、９はスイッチ１、プリント基板２、３、フラットケーブル４、そして絶縁シート７を内蔵する１対のケースである。
【０００５】
プリント基板２、３はケース８、９の内面に取付固定され、２つのプリント基板２、３は直交配置に取り付けられている。
【０００６】
フラットケーブル４はその一端がプリント基板３に接続され、フラットケーブル４の他端がもう１つのプリント基板２に接続されている。プリント基板２の裏面に突出したフラットケーブル４の端子４ａはプリント基板２の接続部に半田付けされている。
【０００７】
このプリント基板２には、その接続部にケーブルホルダー５が取り付けられている。このケーブルホルダー５は、直方体状からなり、フラットケーブル４の端子４ａを案内するように外面側を広くした孔が形成されており、また、位置決めや取付用の挿入片が形成されている。一方、プリント基板２には前記挿入片に対応した位置決め孔が形成されている。そして、前記挿入片を位置決め孔に差し込んでケーブルホルダー５をプリント基板２に対して位置決めするとともに、前記挿入片の先端を溶着させてプリント基板２にケーブルホルダー５が固定されている。
【０００８】
プリント基板２とプリント基板３との間をフラットケーブル４で接続する際に、フラットケーブル４をプリント基板２の裏面側から表面側に回り込ませて接続されている。このフラットケーブル４は組立上長めのものを使用し、組み込んだ後に畳んでいる。
【０００９】
ところで、上述のように、フラットケーブル４でプリント基板２、３間を接続する際に、長めのフラットケーブル４をプリント基板２の裏面側から表面側に回り込ませて接続することが行われると、プリント基板２の孔に差し込まれてプリント基板２の裏面側に突出したフラットケーブル４の端子４ａ（あるいはその他の電子部品の端子も同様）が、フラットケーブル４の屈曲、座屈によりフラットケーブル４の樹脂のカバーに突き当たって、カバーを破損させて内部の導線に接触し、ショートする虞があった。
【００１０】
そこで、従来はその対策として、端子４ａ（あるいはその他の電子部品の端子も同様）が突出したプリント基板２の裏面に絶縁シート７を貼り付ける等して取り付けていた。この絶縁シート７を端子４ａとフラットケーブル４との間に介在されることにより、端子４ａ等が直接フラットケーブル４を傷つけないようにしてショートを防止していた。
【００１１】
【発明が解決しようとする課題】
しかしながら、上述した従来の端子カバー付フラットケーブルホルダー装置において、プリント基板２の裏面に絶縁シート７を貼り付ける工程を必要とするものであり、絶縁シート７を位置決めして貼り付けなければならず、組立て部品が１点多くて手間も係った。
【００１２】
そこで、本発明の課題は、絶縁シートを別途取り付ける手間が省け、かつ、端子とフラットケーブルの接触を防止できて接触によるショートを防止できる端子カバー付フラットケーブルホルダー装置を提供することにある。
【００１３】
【課題を解決するための手段】
上記課題を解決するために本発明では第１の手段として、２つのプリント基板と、前記２つのプリント基板の間を接続するフラットケーブルと、前記フラットケーブルを前記２つのプリント基板の一方のプリント基板へ接続する際に、前記フラットケーブルを保持するケーブルホルダー部と、前記ケーブルホルダー部の一端から延設され、前記一方のプリント基板の一端部から他端部にかけて前記一方のプリント基板を覆うとともに、前記一方のプリント基板の他端部に固定するための固定部を有する端子カバー部とを備えたことを特徴とする。
【００１４】
また、第２の手段として、第１の手段において、前記固定部はスナップからなることを特徴とする。
【００１５】
これら手段により、ケーブルホルダー装置をプリント基板に取り付けることにより、端子カバー部もプリント基板の裏面から突出した端子を覆うように取り付けることができるので、従来のように絶縁シートを別途取り付ける手間が省け、かつ、端子とフラットケーブルの接触を防止できて接触によるショートを防止できる。
【００１６】
【発明の実施の形態】
以下、本発明の実施例を図１乃至図４に示す。図１は本発明の実施例である端子カバー付フラットケーブルホルダー装置を示す要部縦断面、図２は端子カバー付フラットケーブルホルダー装置を使用したスイッチ装置の分解斜視図、図３はコネクタ付遮蔽部材の斜視図、図４はコネクタ付遮蔽部材を基板に取り付けた状態を示す説明図である。
【００１７】
これらの図において、１はスイッチ、２はスイッチ１を取り付けたプリント基板、３は別のプリント基板、４はプリント基板２、３間を接続するフラットケーブル、６はスイッチ１のステムに嵌合されたキートップ、８、９はスイッチ１、プリント基板２、３、フラットケーブル４等を内蔵する１対のケース、１０はフラットケーブル４の端子４ａをプリント基板２の取付孔（図示せず）に案内するとともに保持するケーブルホルダー装置である。プリント基板２の裏面に突出したフラットケーブル４の端子４ａはプリント基板２の接続部に半田付けされている。
【００１８】
プリント基板２、３はケース８、９の内面に取付固定され、２つのプリント基板２、３は直交配置に取り付けられている。なお、この例の場合、図２に示すように、３つのスイッチ１が３つのプリント基板２にそれぞれ取り付けられており、これら３つのプリント基板２に対して１つのプリント基板３が配置され、プリント基板３と３つのプリント基板２とが３つのフラットケーブル４によってそれぞれ接続されている。
【００１９】
ケーブルホルダー装置１０は合成樹脂等の靭性（材質の粘り強さ、外力によって破壊されにくい性質）の高い材質からなり、図３に示すように、ホルダー部１１と、ホルダー部１１の一端から延設され、板状の端子カバー部１２と、端子カバー部１２のホルダー部１１下端部分と下端から稍離れた位置でホルダー部１１の長手方向に平行に薄肉部とした２本の折り曲げ部１３、１４と、ホルダー部１１の両端下方に延設されたスナップ爪１５、１５と、端子カバー部１２の遊端側の中央部分を更に延設しその先端部から下方に延設したスナップ爪（固定部に相当する）１６から構成されている。
【００２０】
ケーブルホルダー装置１０は、まず、ホルダー部１１のスナップ爪１５、１５をプリント基板２に形成した挿入孔２ａにそれぞれ差し込んでスナップ止めする。端子カバー部１２は、図４に示すように、２本の折り曲げ部１３、１４により、折り曲げられるようになっている。ケーブルホルダー装置１０は靭性が高い材質からなるため薄肉にした折り曲げ部１３、１４部分が破壊されることなく確実にかつ自由に折り曲げられる。そして、端子カバー部１２は、プリント基板２の表面の一端部から２本の折り曲げ部１３、１４により折り曲げられ、プリント基板２の裏面側に回り込ませて、端子４ａ等が突出した裏面を覆うとともに、プリント基板２の他端部にスナップ爪１６を掛け止めして固定するようにしている。
【００２１】
また、ホルダー部１１は、直方体状からなり、フラットケーブル４の端子４ａを案内するように外面側を広くした孔１１ａが形成されている。
【００２２】
端子カバー部１２の２本の折り曲げ部１３、１４のうち、折り曲げ部１４は、プリント基板２の裏面に突出した端子４ａ等の高さを考慮して突き当たらないで折り曲げられるように折り曲げ部１３との間隔が設定されている。
【００２３】
図４に示す、ケーブルホルダー装置１０を取り付けたプリント基板２を、ケース８、９に内蔵した状態を図１に示してある。
【００２４】
上記実施例にあっては、図１に示すように、ケーブルホルダー装置１０の端子カバー部１２がプリント基板２の裏面側の突出した端子４ａ等を覆っているため、フラットケーブル４とプリント基板２を接続する際に、フラットケーブル４をプリント基板２の裏面側から表面側に回り込ませて接続しても、プリント基板２の裏面側に突出した端子４ａ（あるいはその他の電子部品の端子も同様）が、フラットケーブル４の屈曲、座屈によりフラットケーブル４の被覆に突き当たることを端子カバー部１１が防ぐことができ、突出した端子４ａ等とによるフラットケーブル４のショートを防止できる。
【００２５】
また、ホルダー部１１とそれと一体の端子カバー部１２は、プリント基板２にスナップ止めするだけで、１つの部品の取付として簡単に取り付けることができる。
【００２６】
尚、上記実施例においては、端子カバー部１２をスナップにより固定したが、本発明はこれに限らず、例えば、両面テープにより固定しても、あるいはねじ止めにより固定するようにしてもよい。
【００２７】
【発明の効果】
以上説明したように、本発明によれば、ケーブルホルダー装置をプリント基板に取り付けることにより、端子カバー部もプリント基板の裏面から突出した端子を覆うように取り付けることができるので、従来のように絶縁シートを別途取り付ける手間が省け、かつ、端子とフラットケーブルとの接触を防止できて接触によるショートを防止できる。
【図面の簡単な説明】
【図１】本発明の実施例である端子カバー付フラットケーブルホルダー装置を示す要部縦断面図である。
【図２】端子カバー付フラットケーブルホルダー装置を使用したスイッチ装置の分解斜視図である。
【図３】端子カバー付フラットケーブルホルダー装置の斜視図である。
【図４】端子カバー付フラットケーブルホルダー装置をプリント基板に取り付けた状態を示す説明図である。
【図５】従来の端子カバー付フラットケーブルホルダーを示す要部縦断面図である。
【符号の説明】
２、３　プリント基板
４　フラットケーブル
１０　ケーブルホルダー装置（ケーブルホルダー部）
１１　ホルダー部
１２　端子カバー部
１３、１４　折り曲げ部
１６　スナップ爪（固定部に相当する）
【図１】
2004119827.tif 000003
【図２】
2004119827.tif 000004
【図３】
2004119827.tif 000005
【図４】
2004119827.tif 000006
【図５】
2004119827.tif 000007